(57)【要約】【課題】遊技機に設けられた画像表示装置の大型化に対応する。【解決手段】パチンコ機ＰＭが、画像制御基板アッセンブリ４０を裏面側に着脱自在に取り付けた遊技盤１０を備え、画像制御基板アッセンブリ４０が、液晶表示パネル５２を有する液晶表示装置５０と、液晶表示装置５０の後面側に設けらた液晶制御基板６１とを有して構成され、液晶表示装置５０が、液晶表示パネル５２と、液晶表示パネル５２を収納するパネル収納部材５１とを有する。液晶表示パネル５２および液晶制御基板６１が、ハーネス７８と、ハーネス８３とを介して互いに電気的に接続されている。パネル収納部材５１に、ハーネス７８が液晶表示パネル５２に取り付けられ液晶表示パネル５２がパネル収納部材５１に収容されている状態でパネル収納部材５１に対して液晶表示パネル５２側に延びるハーネス７８の一部を収容可能に凹んだ溝状のハーネス収容部６５が形成されている。【選択図】図８
2007260043.tif 000002
【特許請求の範囲】
【請求項１】
立設配置された遊技盤と、前記遊技盤の裏面側に着脱自在に取り付けられた画像表示装置とを備え、遊技状況に応じた画像を前記画像表示装置に表示させる制御を行って前記遊技盤に形成された開口を介して前記遊技盤の前面側から前記画像表示装置に表示される画像を目視可能に構成された遊技機であって、
前記画像表示装置が、画像を表示する液晶表示パネルを有する略平板状の液晶表示装置と、前記液晶表示装置の後面側に設けられ前記液晶表示パネルにおける画像の表示を制御する液晶制御装置とを有して構成され、
前記液晶表示装置が、前面に画像が表示される前記液晶表示パネルと、前記液晶表示パネルを前記液晶表示パネルの後面側において受けて保持するパネル収納部材とを有し、
前記液晶表示パネルおよび前記液晶制御装置が、前記液晶表示パネルに画像を表示するための信号供給用ハーネスと、前記液晶表示パネルに電力を供給するための電力供給用ハーネスとを介して互いに電気的に接続され、
前記電力供給用ハーネスが、前記液晶制御装置における前記パネル収納部材の一端側から前記液晶表示パネルが前記パネル収納部材に収納された状態で前記パネル収納部材の一端側に対向する前記液晶表示パネルの一端側に引き回され、
前記信号供給用ハーネスが、前記電力供給用ハーネスの配線長よりも長い配線長を有し前記液晶制御装置側から前記パネル収納部材の他端側に形成された配線用開口を貫通して前記液晶表示パネル側に延びて前記液晶表示パネルの他端側に着脱可能に引き回され、前記電力供給用ハーネスが前記液晶表示パネルおよび前記液晶制御装置に接続された状態で前記信号供給用ハーネスが前記液晶表示パネルに対して取り付けられもしくは取り外されることにより、前記液晶表示パネルが前記パネル収納部材に収容されもしくは前記パネル収納部材から取り外されるように構成され、
前記パネル収納部材に、前記信号供給用ハーネスが前記液晶表示パネルに取り付けられ前記液晶表示パネルが前記パネル収納部材に収容されている状態で前記パネル収納部材に対して前記液晶表示パネル側に延びる前記信号供給用ハーネスの一部を収容可能に凹んだ溝状のハーネス収容部が形成されていることを特徴とする遊技機。
【発明の詳細な説明】
【技術分野】
【０００１】
本発明は、パチンコ機等の遊技機に関し、詳しくは、画像を表示させる画像表示装置を遊技盤に備え、遊技状況に応じた画像を画像表示装置に表示させる制御を行うように構成された遊技機に関する。
【背景技術】
【０００２】
一般に、上記のような遊技機、例えばパチンコ機として、パチンコ器の前面に設けられた球受け皿に滞留している遊技球が、遊技者による発射ハンドルの操作に応じて遊技盤上に打ち出された後、遊技盤上の釘や風車等に導かれつつ盤面を流下して、遊技盤上に設けられた各種入賞装置に入賞し、あるいは入賞装置には入賞せずに遊技盤下部のアウト口に流入するように構成されたものがよく知られている（例えば、特許文献１参照）。
【特許文献１】特開２００３−２３６２１０号公報
【発明の開示】
【発明が解決しようとする課題】
【０００３】
ところで、上記のような従来のパチンコ機では、液晶等の画像表示装置の大きさが遊技者に迫力感を提供するには小さく、演出範囲に制限があるため、より高い迫力感や意外性を演出内容に期待することが困難であった。そのため、画像表示装置を大型化することで、遊技者にとって遊技や演出に一層の興味を抱かせるようにしたパチンコ機の出現が切望されている。しかしながら、画像表示装置を大型化した場合、画像表示装置を遊技盤に取り付ける取付部材、画像表示装置に画像を表示させる制御を行うための制御基板を収納する収納部材、あるいは画像表示装置から制御基板へのケーブルの取り回しといった、画像表示装置の大型化に対応して様々な工夫が課題として要求される。
【０００４】
以上のような課題に鑑みて、本発明では、画像表示装置の大型化に対応して画像表示装置に様々な工夫が施された遊技機を提供することを目的とする。
【課題を解決するための手段】
【０００５】
前記課題を解決するために本発明に係る遊技機（例えば、実施形態におけるパチンコ機ＰＭ）は、立設配置された遊技盤と、遊技盤の裏面側に着脱自在に取り付けられた画像表示装置（例えば、実施形態における画像制御基板アッセンブリ４０）とを備え、遊技状況に応じた画像を画像表示装置に表示させる制御を行って遊技盤に形成された開口を介して遊技盤の前面側から画像表示装置に表示される画像を目視可能に構成され、画像表示装置が、画像を表示する液晶表示パネルを有する略平板状の液晶表示装置と、液晶表示装置の後面側に設けられ液晶表示パネルにおける画像の表示を制御する液晶制御装置とを有して構成され、液晶表示装置が、前面に画像が表示される液晶表示パネルと、液晶表示パネルを液晶表示パネルの後面側において受けて保持するパネル収納部材とを有し、液晶表示パネルおよび液晶制御装置が、液晶表示パネルに画像を表示するための信号供給用ハーネス（例えば、実施形態におけるハーネス７８）と、液晶表示パネルに電力を供給するための電力供給用ハーネス（例えば、実施形態におけるハーネス８３）とを介して互いに電気的に接続され、電力供給用ハーネスが、液晶制御装置におけるパネル収納部材の一端側から液晶表示パネルがパネル収納部材に収納された状態でパネル収納部材の一端側に対向する液晶表示パネルの一端側に引き回され、信号供給用ハーネスが、電力供給用ハーネスの配線長よりも長い配線長を有し液晶制御装置側からパネル収納部材の他端側に形成された配線用開口を貫通して液晶表示パネル側に延びて液晶表示パネルの他端側に着脱可能に引き回され、電力供給用ハーネスが液晶表示パネルおよび液晶制御装置に接続された状態で信号供給用ハーネスが液晶表示パネルに対して取り付けられもしくは取り外されることにより、液晶表示パネルがパネル収納部材に収容されもしくはパネル収納部材から取り外されるように構成され、パネル収納部材に、信号供給用ハーネスが液晶表示パネルに取り付けられ液晶表示パネルがパネル収納部材に収容されている状態でパネル収納部材に対して液晶表示パネル側に延びる信号供給用ハーネスの一部を収容可能に凹んだ溝状のハーネス収容部が形成されている。
【発明の効果】
【０００６】
本発明に関する遊技機によれば、液晶表示パネルを収納するパネル収納部材には、液晶表示パネルがパネル収納部材に収容されている状態で液晶制御装置から液晶表示パネルに延びる信号供給用ハーネスの一部を収容することが可能なハーネス収容部が形成されている。このため、信号供給用ハーネスと液晶表示パネルとを接続した場合、信号供給用ハーネスのうちの余分な部分を、このハーネス収容部内に逃がすように収納させることで、パネル収納部材を液晶表示パネルに確実に被せることが可能である。
【０００７】
このような構成は、漏電等による感電のおそれ、あるいは、高周波ノイズによる影響を考慮して、電力供給用ハーネスの引き回し長さを短く設定せざるを得ず、作業の行い易さから、電力供給用ハーネス信号よりも引き回し長さが長く設定された信号供給用ハーネスを液晶表示パネルから取り外すことで、液晶表示パネルをパネル収納部材から取り外し可能な構成になっている場合に有効である。すなわち、液晶表示パネルがパネル収納部材に収容されている状態では、液晶表示パネルの交換を行い易い長さになっている信号供給用ハーネスの一部に余分な部分が生じ、パネル収納部材を液晶表示パネルに被せにくい場合が生じるが、上記のように信号供給用ハーネスの余分な部分をハーネス収容部に逃がすように収めれば、上記のようにパネル収納部材を液晶表示パネルに確実に被せることが可能である。
【発明を実施するための最良の形態】
【０００８】
以下、本発明に係る遊技機の好ましい実施形態について、図１乃至図９を参照しながら詳細に説明する。なお、図１は上記遊技機の一例として説明するパチンコ機の外観正面図で、図２は上記パチンコ機に設けられた遊技盤の背面図である。ここではまず、上記遊技機の一例として説明するパチンコ機ＰＭの概要構成を図１および図２を参照して説明する。
【０００９】
図１に示すように、このパチンコ機ＰＭは、外郭方形枠サイズに構成された縦向きの固定保持枠をなす外枠１の開口前面に、これに合わせた方形枠サイズに構成されて開閉搭載枠をなす前枠２が互いの左側縁部に配設された上下のヒンジ機構３ａ，３ｂにより横開き開閉および着脱が可能に取り付けられ、常には右側縁部に設けられた施錠機構４を利用して外枠１に閉鎖施錠された状態で保持される。
【００１０】
前枠２の各部には、パチンコ遊技を展開する遊技展開部材として、前枠２の前側面域に合わせた方形状のガラス扉５および球皿６が正面左側部に設けられたヒンジ機構７ａ，７ｂ，７ｃを利用して横開き開閉および着脱が可能に組付けられ、球皿６の右側下部には遊技球の発射操作を行う操作ハンドル８が装備されている。前枠２の中央部から上部にかけて後方に突出する方形枠状の収容枠（図示せず）が前枠２と一体に形成されており、この収容枠に所定のゲージ設定で構成された遊技盤１０が着脱可能にセット保持され、常には閉鎖保持されるガラス扉５に遊技盤１０の正面の遊技領域ＰＡを臨ませている。
【００１１】
なお、遊技盤１０は、板厚１９ｍｍ程度の積層合板を図示する所定形状に切断およびルーター加工して、その表面に所定意匠のセルを貼り付けた化粧板（ベニヤ板とも称される）１１を基板として構成される。また、前枠２には、帯状の案内レール１２が円弧状に固設され、この案内レール１２で囲まれた内側に上述の遊技領域ＰＡが区画される。
【００１２】
遊技領域ＰＡには、多数本の遊技釘とともにランプ風車や一般風車等の風車２１、一般入賞具や始動具並びに大入賞口を備えたアタッカー等の入賞具２２、遊技領域ＰＡの下端には入賞具２２に入賞せずに落下した遊技球（「アウト球」という）を遊技盤１０の裏面に排出させるアウト口２４が設けられている。各入賞具２２に落入した遊技球（「セーフ球」という）は、これらの入賞具２２に設けられた入賞口スイッチおよび始動口スイッチにより検出され、化粧板１１を貫通するセーフ球通路を通って遊技盤１０の裏面に排出される。また、アウト口２４に集められたアウト球は化粧板１１を貫通するアウト球通路孔を通って遊技盤１０の裏面側に排出される。
【００１３】
以上のように構成されたパチンコ機ＰＭは、前枠２、ガラス扉５および球皿６がともに閉止され施錠された状態で遊技に供され、球皿６に遊技球を貯留させて操作ハンドル８を回動操作することにより遊技が開始される。操作ハンドル８が回動操作されると、球皿６に貯留された遊技球が打球発射装置により１球ずつ遊技盤１０の遊技領域ＰＡに打ち出され、以降パチンコゲームが展開される。
【００１４】
遊技盤１０の裏面側には、パチンコ機ＰＭ全体の制御を行う主制御基板が収容された主基板アッセンブリ３０や、画像表示画面２３に表示される画像の制御を行う画像制御基板が収容された画像制御基板アッセンブリ４０が取り付けられている。ここで、図２および図３を参照して、遊技盤１０に取り付けられた画像制御基板アッセンブリ４０について説明する。図２は遊技盤１０の背面図であり、図３は遊技盤１０を後方から見た斜視図である。なお、以降の説明においては、図２および図３の状態を基準にして前後左右、および、上下を定義する（図３参照）。
【００１５】
遊技盤１０の中央部には画像制御基板アッセンブリ４０を取り付けるための開口部１３が形成されており、この開口部１３を挟むように遊技盤１０の裏面側の左右縁部に画像アッセンブリ取付部１４ａ，１４ｂが配設されている。画像制御基板アッセンブリ４０の左右両側部の上下には合計４個の取付突起部５６，５６が形成されており、この取付突起部５６，５６がネジ締結等で画像アッセンブリ取付部１４ａ，１４ｂに取り付けられて画像制御基板アッセンブリ４０が遊技盤１０に固定される。画像制御基板アッセンブリ４０が遊技盤１０に固定されると、この開口部１３を介して遊技者が遊技盤１０の前面側から遊技の進行状況に応じて所定の画像を表示させる画像表示画面２３を目視可能になっている。
【００１６】
また、遊技盤１０の下部における裏面側の左右縁部には、主基板取付部１５ａ，１５ｂが配設されており、この主基板取付部１５ａ，１５ｂに主基板アッセンブリ３０が取り付けられている。なお、主基板取付部１５ａ，１５ｂは、画像アッセンブリ取付部１４ａ，１４ｂよりも後方に突出するように形成されており、主基板アッセンブリ３０の上部が、後面視において、画像制御基板アッセンブリ４０の下部を後方から覆うように遊技盤１０に取り付けられる。
【００１７】
このように、主基板アッセンブリ３０が画像制御基板アッセンブリ４０の一部を覆う（後面視において一部が重なる）ように配置することにより、画像制御基板アッセンブリ４０の大型化に対して遊技盤１０の上下方向寸法を大きくすることなく、これらのアッセンブリ３０，４０をこの遊技盤１０の裏面側に配設することができる。
【００１８】
次に、図３乃至図９を参照し、本発明の特徴部分である画像制御基板アッセンブリ４０の詳細について説明する。
【００１９】
画像制御基板アッセンブリ４０は、遊技盤１０の裏面に取り付けられたときに画像表示画面２３となり画像を表示するための液晶表示パネル５２を有する正面視略矩形状の横長型の液晶表示装置５０と、液晶表示装置５０の後面側に設けられ液晶表示パネル５２における画像の表示を制御する回路基板が収容される前段収容カバー６０（図９参照）および後段収容ケース７０とで構成される。すなわち、本発明に係る画像制御基板アッセンブリ４０は、取付突起部５６，５６，…がネジ締結等で画像アッセンブリ取付部１４ａ，１４ｂ，…に取り付けられて遊技盤１０に固定され、この画像制御基板アッセンブリ４０が遊技盤１０に取付固定された場合に、遊技盤１０の側から順に後方に向かって液晶表示装置５０、液晶制御基板６１を収容する前段収容カバー６０および内部に演出制御基板７１を収容する後段収容ケース７０からなる前後３段の３段構成からなる。なお、液晶表示パネル５２の表示画面の対角線の長さは、従来標準的にパチンコ機に搭載されている液晶表示パネルのそれよりも大きく、１７インチとなっている（必ずしもこの長さに限られない）。
【００２０】
液晶表示装置５０は、図７に示すように、液晶表示パネル５２を液晶表示パネル５２の後面側で受けて保持する正面視略矩形状のパネル収納部材５１と、このパネル収納部材５１に収容され画像を液晶表示する正面視略矩形状の液晶表示パネル５２と、パネル収納部材５１内において液晶表示パネル５２を保護するために液晶表示パネル５２の前面側に液晶表示パネル５２に重ねて収容される正面視略矩形状の保護パネル５３と、液晶表示パネル５２および保護パネル５３を前面側からパネル収納部材５１に嵌め合わせ、液晶表示パネル５２および液晶表示パネル５２の前側に配置されている保護パネル５３を保持する矩形フレーム状のパネル枠部材５４とを有して構成される。なお、パネル枠部材５４は、パネル収納部材５１に対して取付および取外可能に構成され、パネル枠部材５４のパネル収納部材５１への取付固定は、上下左右の４箇所でビス５９，５９，…（図４参照）を用いてビス止めすることで行われる。なお、パネル収納部材５１および保護パネル５３は、アクリル等を材質とする透明の樹脂を所定の形状に成形したものからなり、パネル枠部材５４は、金属板を打抜および曲げ加工して所定の形状に成形したもので構成される。
【００２１】
さらに、パネル収納部材５１の上下左右の縁部には、上述した取付突起部５６，５６，…が設けられており、この取付突起部５６，５６，…に形成された取付孔に挿入されるビスにより遊技盤１０に締結されている状態からビスを緩めることで、画像制御基板アッセンブリ４０が遊技盤１０から取り外し可能となる。そして、画像制御基板アッセンブリ４０が遊技盤１０から取り外された状態で、パネル枠部材５４をパネル収納部材５１に取り付けている４箇所のビス５９，５９，…を緩めれば、液晶表示装置５０が分解可能となる。液晶表示装置５０を分解すると、パネル収納部材５１の中に収容されていた液晶表示パネル５２、保護パネル５３といったものが、画像制御基板アッセンブリ４０の前面側から取り外し可能になるため、容易にこれらの交換作業を行うことができる。
【００２２】
また、図８に示すように液晶表示パネル５２の後面側は、液晶表示パネル５２と同じ大きさで略矩形状の板金５５（金属製の板材）によって一様に平坦に覆われており、パネル収納部材５１は、この板金５５の後面側から液晶表示パネル５２を収容するようになっている。パネル収納部材５１が液晶表示パネル５２を収容した状態では、液晶表示パネル５２の後面側が板金５５によって遮蔽されていることで、熱発生源である液晶制御基板６１を収容する前段収容カバー６０の側で発生する熱が板金５５により強制的に冷却され、液晶表示パネル５２の側への熱伝導が遮断されて、液晶表示パネル５２の過熱が抑制される。
【００２３】
図９に示すように、前段収容カバー６０は、略直方体状の形状をなし開口が形成された金属製の箱部材で構成され、開口を液晶制御基板６１の側に向け液晶制御基板６１をその後方から覆うようにしてパネル収納部材５１の後方に設置される。前段収容カバー６０の左右側方であってパネル収納部材５１上には、前段収容カバー６０の奥行きとほぼ同じ大きさの奥行きを有し、いずれも後面視略Ｌ字状の枠部６３，６３がパネル収納部材５１に対して突出形成されている。これら枠部６３，６３は、いずれも前段収容カバー６０の下方にその先端部が左右に対向するように延びており、前段収容カバー６０の下方において左右の枠部６３，６３間が離間している。
【００２４】
また、この前段収容カバー６０の下方側側面には、この側面を貫通して略円形状の多数の吸気孔６０ａが形成されている。一方、前段収容カバー６０の上方側側面には、側面が一部切り欠かれて上下前後に開口し前段収容カバー６０内部の空気をその外部に排出可能な排気部６０ｂが形成されている。前段収容カバー６０には、図示しない電源から電力の供給を受けることで作動可能な冷却ファン６２が排気部６０ｂに収められるようにして取り付けられている。この冷却ファン６２は、後述するヒートシンク６４（図８参照）によりパネル収納部材５１の後面に対して所定長さ離間して取り付けられる液晶制御基板６１の面に略直交するように取り付けられる。冷却ファン６２を作動させると、画像制御基板アッセンブリ４０の外部から左右の枠部６３，６３の間および吸気孔６０ａを通して空気を前段収容カバー６０の側に取り入れ、この空気が前段収容カバー６０の吸気孔６０ａから前段収容カバー６０の内部へと導入されて前段収容カバー６０の内部を流れ、冷却ファン６２を介して外部へと排出される。
【００２５】
図８に示すように、前段収容カバー６０の内部には、各々上下に延びて左右に並んだ複数の放熱部６４ａを有するヒートシンク６４が設けられている。パネル収納部材５１のヒートシンク６４周辺は略矩形状に切り欠かれた開口５９が形成されていて、パネル収納部材５１を液晶表示パネル５２の側に被せた場合に（図８に示すような状態からパネル収納部材５１を板金５５を覆うように被せた場合に）、放熱部６４ａの前端部が板金５５に当接することで、液晶制御基板６１で発生しヒートシンク６４を介して伝達される熱を板金５５の側に効果的に逃がすことが可能である。すなわち、板金５５は液晶表示パネル５２を衝撃から保護するだけではなく、ヒートシンクとしての役割をも有してしている。この板金５５は、液晶表示パネル５２とほぼ同じ大きさを有しており、これよりも面積の小さい金属の板材よりも熱容量が大きく、しかも他の材質（樹脂など）よりも熱伝導率の高い金属を使用しているため、熱を逃がすという点で有効である。
【００２６】
液晶制御基板６１は、前段収容カバー６０の内部であって上記のようなヒートシンク６４の後方側に、ヒートシンク６４によりパネル収納部材５１の後面に対して所定長さ離間して設置されている。この液晶制御基板６１は、液晶表示パネル５２における３Ｄのグラフィックスといった画像の表示を制御するためのものであり、ハーネス６６を介して後段収容ケース７０に収容され画像表示画面２３における遊技状況に応じた演出の制御を行う演出制御基板７１に繋げられている。
【００２７】
また、演出制御基板７１から後段収容ケース７０の前面に形成された配線用開口７０ａ（図９参照）およびパネル収納部材５１の右側の枠部６３に形成された（後述するコネクタ５２ａに対向するように形成された）配線用開口６３ａを貫通し、液晶表示装置５０の側に延びるように引き回されているハーネス７８は、液晶表示パネル５２に画像を表示するための信号を供給する信号供給用のハーネスであり、その端部にコネクタ７９が設けられている。このコネクタ７９は、液晶表示パネル５２の後面側であって右側縁部に設けられ液晶表示パネル５２と電気的に繋がるコネクタ５２ａ（図８参照）に対して着脱可能であり、コネクタ７９をコネクタ５２ａに接続させた状態で、板金５５にパネル収納部材５１が被せられる。
【００２８】
左右の枠部６３，６３のうち、左側の枠部６３は、パネル収納部材５１の後面側において後方に突出し、突出している分だけその前面側が後方に凹んでおり、凹んだ空間にはインバータ基板８３が収容されている。このインバータ基板８２の上下両端部からは、液晶表示パネル５２への電力供給用のハーネス８３，８３が各々延びており、この電力供給用のハーネス８３は、液晶表示パネル５２の左端部に、引き回し長さをなるべく短くするように接続されている。
【００２９】
電力供給用のハーネス８３の引き回し長さを短く設定するのは以下の理由による。液晶表示パネル５２の液晶部分を交流駆動させてバックライトを発光させるために、インバータ基板８２から液晶表示パネル５２に向けて高電流を供給させる必要がある。しかしながら、インバータ基板８２と液晶表示パネル５２とを繋ぐ電力供給用のハーネス８３の長さを長く設定すると、漏電等による感電のおそれ、あるいは、電力供給用のハーネス８３から発生する高周波ノイズが遊技盤１０の裏面に配置される主基板アッセンブリ３０内部の制御基板等に入り込むことによる誤作動のおそれといったことが懸念される。このため、電力供給用のハーネス８３の引き回し長さを、なるべく短く設定するのが望ましい。
【００３０】
このような要請から、配線用開口６３ａの形成位置およびインバータ基板８２の取付位置を考慮して信号供給用のハーネス７８の引き回し長さを電力供給用のハーネス８３の引き回し長さよりも長く設定し、電力供給用のハーネス８３が液晶表示パネル５２およびインバータ基板８２に接続された状態で、ハーネス７８に設けられたコネクタ７９を液晶表示装置５０側のコネクタ５２ａから取り外すことで、図８に示すような状態にパネル収納部材５１を液晶表示装置５０から取り外して、液晶表示パネル５２の交換等を行うような構成になっている。また、電力供給用のハーネス８３が液晶表示パネル５２およびインバータ基板８２に接続された状態で、コネクタ７９をコネクタ５２ａに接続して液晶表示パネル５２をパネル収納部材５１に取り付けるような構成になっている。ここで、コネクタ７９とコネクタ５２ａとを着脱させる場合に作業者が作業し易いように、信号供給用のハーネス７８の長さを余裕をもって長くすると、パネル収納部材５１を被せてコネクタ７９とコネクタ５２ａとを接続させた場合、ハーネス７８が長くなり過ぎて余分な部分が生じパネル収納部材５１に収まらなくなり、パネル収納部材５１を液晶表示パネル５２の側に被せにくい場合がある。
【００３１】
このため、パネル収納部材５１の後面側において後方に突出して形成されている枠部６３は、突出している分だけその前面側が後方に凹んでおり、パネル収納部材５１の前面側からハーネス７８を収納させることが可能な空間であるハーネス収容部６５が上下に溝状に延びて形成されている。このような構成によれば、ハーネス７８側のコネクタ７９と液晶表示装置５０側のコネクタ５２ａとを接続した場合、ハーネス７８のうちの余分な部分をこのハーネス収容部６５内に逃がすように収納させることで、パネル収納部材５１を液晶表示パネル５２の側に確実に被せることが可能である。
【００３２】
前段収容カバー６０は、ヒートシンク６４およびヒートシンク６４の後方に設置された液晶制御基板６１を、それらの後方側から覆っており、パネル収納部材５１を液晶表示パネル５２に被せた場合に（図８に示すような状態からパネル収納部材５１を板金５５を覆うように被せた場合に）、前段収容カバー６０の上下に形成されたフランジ部６７，６７のうち、上方のフランジ部６７の前面に接着された短冊状の弾力性のある導電性材料で構成されるクッション６８が板金５５に当接して（板金５５に当接するようにパネル収納部材５１が切り欠かれている）、液晶表示パネル５２の側からアースを取ることが可能である。弾力性のある導電性材料としては、例えばウレタンスポンジ等の弾性材料の表面に、縞状もしくは網目状に銅メッキとニッケルメッキの積層体からなる金属箔を設けたものが好ましい。
【００３３】
図６に示すように、後段収容ケース７０は、演出制御基板７１を演出制御基板７１の前面で受容する受部材７２と、この受部材７２に被せられて受部材７２に固定される蓋部材７３からなる２つの部材で構成される。蓋部材７３には、前方に凹んだ後面視略矩形状のハーネス受容部７５が蓋部材７３の右側側面を切り欠くように左右に延びて形成されている。演出制御基板７１にコネクタ７１ａ（図５参照）を介して接続され主基板アッセンブリ３０に繋がるハーネスを、このハーネス受容部７５に受容させることで、ハーネスが画像制御基板アッセンブリ４０の後方に食み出さないようにすることができる。なお、後段収容ケース７０の材質として、アクリル等を材質とする透明の樹脂を所定の形状に成形したものからなる。
【００３４】
図９に示すように、後段収容ケース７０の受部材７２の前面側における下端部には、前段収容カバー６０を囲む枠部６３，６３の後面側に各々突出形成された略Ｌ字状に延びる係止部６９，６９と係合可能な係合部７６，７６が略Ｌ字状に突出形成されていて（図９では左右のうち右側の係合部７６のみ示す）、係合部７６を係止部６９に係合させた状態で受部材７２を枠部６３，６３にビス止めすることで、受部材７２を枠部６３，６３に対して固定することができる。また、演出制御基板７１を受容した状態で蓋部材７３を受部材７２に被せて４個のビス７７，７７，…（図５参照）により４箇所でビス止めすることで、蓋部材７３が受部材７２に装着され演出制御基板７１が後段収容ケース７０内に収容される。蓋部材７３の受部材７２へのビス止めとともに、受部材７２の前面により前段収容カバー６０の後面が板金５５側に押され、前段収容カバー６０のフランジ部６７の前面側に短冊状に接着されているクッション６８が板金５５に押し付けられる。
【００３５】
画像制御基板アッセンブリ４０を遊技盤１０の裏面側に取り付けた状態で、後段収容ケース７０の蓋部材７３の上面は液晶表示装置５０の側に延びており（図４参照）、排気口７４が後段収容ケース７０の蓋部材７３の上面の略中央部に設けられている。この排気口７４は、丁度冷却ファン７２の上方に位置するように設けられており、冷却ファン７２を作動させると、前段収容カバー６０内の空気がこの排気口７４を通って外部に排出される。排気口７４を構成する孔形状は、例えば径が２〜３ｍｍ程度の円孔の集合体からなり、孔径を小さくすることで基板収容ケース６０内の液晶制御基板６１への不正行為を防止するようにしている。また、孔形状は円孔に限らず、例えばスリット状の孔等でもよい。
【００３６】
上記ようにして後段収容ケース７０が前段収容カバー６０の後方に装着されると、左右の枠部６３，６３、パネル収納部材５１の後面および後段収容ケース７０の前面で囲まれ外部の空気を前段収容カバー６０に導入するための空気取入空間８１が形成される（図６参照）。この空気取入空間８１は、前段収容カバー６０を挟んで冷却ファン６２と対向するように形成されていて、冷却ファン６２の作動により前段収容カバー６０の上下方向に空気が流動される。このような構成の下、熱発生源である液晶制御基板６１により前段収容カバー６０内に発生する熱気は、上述の冷却ファン６２の作動により排気口７４から強制的に外部に排出され、空気取入空間８１からは新たな空気が前段収容カバー６０内に導入される。このため、外部への放熱を促進して、前段収容カバー６０内の温度を適正温度に保つことができる。このようにして、液晶制御基板６１上のＣＰＵといった電子機器部品等の熱発生源からの発熱により前段収容カバー６０内に熱気が残ってしまうことを防止できる。
【００３７】
また、空気取入空間８１は、遊技盤１０から取り外された画像制御基板アッセンブリ４０を運ぶ場合に利用することが可能で、空気取入空間８１内に（前段収容カバー６０方向に）手を挿入すれば、画像制御基板アッセンブリ４０を片手でも簡単に持ち運びすることが可能である。従来の画像制御基板アッセンブリでは、これを持ち運びするための取手部は、画像制御基板アッセンブリの左右両側面に左右に突出して設けられていたが、本発明に係る画像制御基板アッセンブリ４０のように画像制御基板アッセンブリ４０が大型化すると、遊技盤１０の収容スペースの関係上、画像制御基板アッセンブリの左右に突出するように取手部を設けることは難しい。そこで、本発明では、空気取入空間８１を画像制御基板アッセンブリ４０の持ち運びの際に利用することで、画像制御基板アッセンブリ４０の大型化に対応したものとなっている。
【００３８】
図６に示すように、液晶表示装置５０の後面であって下側の縁部には、すなわち、左右の枠部６３，６３および空気取入空間８１の下方には、左右に延びてハーネスを引き回し可能なハーネス設置空間５７が形成されている。一方、図４に示すように、液晶表示装置５０の後面であって上側の縁部にも、すなわち、後段収容ケース７０の蓋部材７３の上方にも（排気口７４の上方にも）、左右に延びるハーネス設置空間５７が形成されている。このため、演出制御基板７１から後段収容ケース７０の蓋部材７３に形成されたハーネス受容部７５に引き出されたハーネスを、ハーネス設置空間５７に引き回した上で主基板アッセンブリ３０に向けて延ばすことが可能であり、大型化した液晶表示装置５０の後面側をハーネスの設置場所として有効活用することができる。
【００３９】
また、パネル収納部材５１の後面には、パネル収納部材５１の後面から略Ｌ字型に一体に延びる複数のハーネス保持部５８が、ハーネス設置空間５７を左右に並んで設けられている。演出制御基板７１の側から延びるハーネスをハーネス設置空間５７に引き回す場合には、ハーネスをこれらハーネス保持部５８に引っ掛けるようにする。しかも、図６に示すように、上向きにＬ字状に延びるハーネス保持部５８と下向きに逆Ｌ字状に延びるハーネス保持部５８とが、交互にパネル収納部材５１の後面に取り付けられていることで、ハーネスがハーネス保持部５８から脱落することなく、しっかりとハーネス保持部５８によって保持される。なお、これらハーネス保持部５８を上記受容面に対して着脱自在にしてもよく、ハーネスの種類、ハーネスが延びる液晶表示パネル５３の種類等に応じて、パネル収納部材５１に取り付けるハーネス保持部５８の数や向きを適宜変更してもよい。
【００４０】
ここで、本発明において達成される効果をまとめると下記のようになる。すなわち、本発明に係る遊技機においては、液晶表示パネルを収納するパネル収納部材には、液晶表示パネルがパネル収納部材に収容されている状態で液晶制御装置から液晶表示パネルに延びる信号供給用ハーネスの一部を収容することが可能なハーネス収容部が形成されている。このため、信号供給用ハーネスと液晶表示パネルとを接続した場合、信号供給用ハーネスのうちの余分な部分を、このハーネス収容部内に逃がすように収納させることで、パネル収納部材を液晶表示パネルに確実に被せることが可能である。
【００４１】
このような構成は、漏電等による感電のおそれ、あるいは、高周波ノイズによる影響を考慮して、電力供給用ハーネスの引き回し長さを短く設定せざるを得ず、作業の行い易さから、電力供給用ハーネス信号よりも引き回し長さが長く設定された信号供給用ハーネスを液晶表示パネルから取り外すことで、液晶表示パネルをパネル収納部材から取り外し可能な構成になっている場合に有効である。すなわち、液晶表示パネルがパネル収納部材に収容されている状態では、液晶表示パネルの交換を行い易い長さになっている信号供給用ハーネスの一部に余分な部分が生じ、パネル収納部材を液晶表示パネルに被せにくい場合が生じるが、上記のように信号供給用ハーネスの余分な部分をハーネス収容部に逃がすように収めれば、上記のようにパネル収納部材を液晶表示パネルに確実に被せることが可能である。
【００４２】
なお、これまで本発明の好ましい実施形態について説明してきたが、本発明の範囲は上述の実施形態に限定されるものではない。上記の実施例では、パチンコ機ＰＭを例に画像制御基板アッセンブリ４０が搭載された遊技機の説明を行ったが、パチンコ機ＰＭは遊技機の一例であって、当該遊技機はパチンコ機に限られずスロットマシンであってもよい。この場合、画像を表示させる画像表示装置は、例えば、回転可能な複数個の回胴リールを液晶表示させるような装置等で構成される。
【図面の簡単な説明】
【００４３】
【図１】本発明に係る遊技機の一例として示すパチンコ機の正面図である。
【図２】上記パチンコ機に設けられた遊技盤の背面図である。
【図３】上記遊技盤の背面側の斜視図である。
【図４】上記遊技盤の裏面側に着脱自在に取り付けられた画像表示装置を遊技盤から取り外して示す斜視図である。
【図５】上記画像表示装置を上記遊技盤から取り外して示す背面図である。
【図６】上記画像表示装置の背面側を示す斜視図である。
【図７】上記画像表示装置を構成する液晶制御装置を分解して示す斜視図である。
【図８】上記液晶表示装置を構成するパネル収納部材を上記液晶制御装置から取り外して示す斜視図である。
【図９】上記画像表示装置を分解して示す斜視図である。
【符号の説明】
【００４４】
ＰＭ  パチンコ機（遊技機）
１  外枠
２  前枠
１０  遊技盤
１３  開口部（開口）
１４ａ  画像アッセンブリ取付部
１４ｂ  画像アッセンブリ取付部
４０  画像制御基板アッセンブリ（画像表示装置）
５０  液晶表示装置
５１  パネル収納部材
５２  液晶表示パネル
５２ａ  コネクタ
５３  保護パネル
５４  パネル枠部材
５５  板金
５６  取付突起部
５７  ハーネス設置空間
５８  ハーネス保持部
５９  開口
６０  前段収容カバー
６０ａ  吸気孔（吸気部）
６０ｂ  排気部
６１  液晶制御基板（液晶制御装置）
６２  冷却ファン
６３  枠部
６３ａ  配線用開口
６４  ヒートシンク
６４ａ  放熱部
６５  ハーネス収容部
６７  フランジ部
６８  クッション
６９  係止部
７０  後段収容ケース
７１  演出制御基板
７２  受部材
７３  蓋部材
７４  排気口
７５  ハーネス受容部
７６  係合部
７８  ハーネス（信号供給用ハーネス）
７９  コネクタ
８１  空気取入空間
８３  ハーネス（電力供給用ハーネス）
【図１】
2007260043.tif 000003
【図２】
2007260043.tif 000004
【図３】
2007260043.tif 000005
【図４】
2007260043.tif 000006
【図５】
2007260043.tif 000007
【図６】
2007260043.tif 000008
【図７】
2007260043.tif 000009
【図８】
2007260043.tif 000010
【図９】
2007260043.tif 000011